(57)【特許請求の範囲】
【請求項１】
広告を含む複数種類の提供情報を取得するユーザ端末と、乱数を生成する乱数発生装置と、前記ユーザ端末に提供する前記提供情報を決定するためのランク情報を決定するランク決定装置と、接続し、前記提供情報を前記ユーザ端末に提供するバナー広告提供装置であって、
前記ユーザ端末から前記提供情報の一覧画面情報の取得要求を受信した際に、前記提供情報の一覧画面情報を前記ユーザ端末に送信する手段と、
前記ユーザ端末から、前記ユーザ端末が取得することになる前記提供情報の抽選開始要求と、前記提供情報の提供主を識別する提供主識別情報と、を受信した際に、該受信した提供情報の抽選開始要求と、前記提供主識別情報と、を前記乱数発生装置に送信する手段と、
前記ランク情報と、該ランク情報が前記ランク決定装置において決定される確率情報と、に関連づけて、前記提供情報を、前記提供主識別情報毎に格納する提供情報格納手段と、
前記抽選開始要求を受信した前記乱数発生装置の出力を受信した前記ランク決定装置から前記ランク情報と、前記提供主識別情報と、を受信した際に、該受信した前記ランク情報と、前記提供主識別情報と、に対応する前記提供情報を前記提供情報格納手段から取得し、該取得した提供情報を前記ユーザ端末に送信する手段と、
前記ランク情報と、前記確率情報と、に関連づけて前記提供主識別情報毎に格納する前記提供情報を設定変更する設定変更手段と、
を有することを特徴とするバナー広告提供装置。
【請求項２】
広告を含む複数種類の提供情報をユーザ端末に提供するバナー広告提供装置であって、
前記ユーザ端末から前記提供情報の一覧画面情報の取得要求を受信した際に、前記提供情報の一覧画面情報を前記ユーザ端末に送信する手段と、
前記ユーザ端末から、前記ユーザ端末が取得することになる前記提供情報の抽選開始要求と、前記提供情報の提供主を識別する提供主識別情報と、を受信した際に、乱数を生成し、該生成した乱数情報を取得する手段と、
前記乱数情報に関連づけて、前記ユーザ端末に提供する前記提供情報を決定するためのランク情報を前記提供主識別情報毎に格納するランク情報格納手段と、
前記取得した乱数情報と、前記提供主識別情報と、に対応する前記ランク情報を前記ランク情報格納手段から取得する手段と、
前記ランク情報と、該ランク情報が前記バナー広告提供装置において決定される確率情報と、に関連づけて、前記提供情報を前記提供主識別情報毎に格納する提供情報格納手段と、
前記取得したランク情報と、前記提供主識別情報と、に対応する前記提供情報を前記提供情報格納手段から取得し、該取得した提供情報を前記ユーザ端末に送信する手段と、
前記ランク情報と、前記確率情報と、に関連づけて前記提供主識別情報毎に格納する前記提供情報を設定変更する設定変更手段と、
を有することを特徴とするバナー広告提供装置。
【請求項３】
広告を含む複数種類の提供情報を格納するＷＥＢサーバと、前記提供情報を取得するユーザ端末と、乱数を生成する乱数発生装置と、前記ユーザ端末に提供する前記提供情報を決定するためのランク情報を決定するランク決定装置と、を有するバナー広告提供システムであって、
前記ユーザ端末は、
前記提供情報の一覧画面情報の取得要求を前記ＷＥＢサーバに送信する手段と、
前記ユーザ端末が取得することになる前記提供情報の抽選開始要求と、前記提供情報の提供主を識別する提供主識別情報と、を前記ＷＥＢサーバに送信する手段と、
前記提供情報の抽選開始要求により前記ＷＥＢサーバから取得した前記提供情報を表示する手段と、を有し、
前記ＷＥＢサーバは、
前記ユーザ端末から前記提供情報の一覧画面情報の取得要求を受信した際に、前記提供情報の一覧画面情報を前記ユーザ端末に送信する手段と、
前記ユーザ端末から前記提供情報の抽選開始要求と、前記提供主識別情報と、を受信した際に、該受信した提供情報の抽選開始要求と、前記提供主識別情報と、を前記乱数発生装置に送信する手段と、
前記ランク情報と、該ランク情報が前記ランク決定装置において決定される確率情報と、に関連づけて、前記提供情報を、前記提供主識別情報毎に格納する提供情報格納手段と、
前記ランク決定装置から前記ランク情報と、前記提供主識別情報と、を受信した際に、該受信した前記ランク情報と、前記提供主識別情報と、に対応する前記提供情報を前記提供情報格納手段から取得し、該取得した提供情報を前記ユーザ端末に送信する手段と、
前記ランク情報と、前記確率情報と、に関連づけて前記提供主識別情報毎に格納する前提供情報を設定変更する設定変更手段と、を有し、
前記乱数発生装置は、
前記ＷＥＢサーバから前記提供情報の抽選開始要求と、前記提供主識別情報と、を受信した際に、乱数を生成し、該生成した乱数情報と、前記提供主識別情報と、を前記ランク決定装置に送信する手段を有し、
前記ランク決定装置は、
前記乱数情報に関連づけて前記ランク情報を前記提供主識別情報毎に格納するランク情報格納手段と、
前記乱数発生装置から前記乱数情報と、前記提供主識別情報と、を受信した際に、該受信した前記提供主識別情報と、前記乱数情報と、に対応する前記ランク情報を前記ランク情報格納手段から取得し、該取得したランク情報と、前記提供主識別情報と、を前記ＷＥＢサーバに送信する手段と、
を有することを特徴とするバナー広告提供システム。
【請求項４】
広告を含む複数種類の提供情報を格納するＷＥＢサーバと、前記提供情報を取得するユーザ端末と、を有するバナー広告提供システムであって、
前記ユーザ端末は、
前記提供情報の一覧画面情報の取得要求を前記ＷＥＢサーバに送信する手段と、
前記ユーザ端末が取得することになる前記提供情報の抽選開始要求と、前記提供情報の提供主を識別する提供主識別情報と、を前記ＷＥＢサーバに送信する手段と、
前記提供情報の抽選開始要求により前記ＷＥＢサーバから取得した前記提供情報を表示する手段と、を有し、
前記ＷＥＢサーバは、
前記ユーザ端末から前記提供情報の一覧画面情報の取得要求を受信した際に、前記提供情報の一覧画面情報を前記ユーザ端末に送信する手段と、
前記ユーザ端末から前記提供情報の抽選開始要求と、前記提供主識別情報と、を受信した際に、乱数を生成し、該生成した乱数情報を取得する手段と、
前記乱数情報に関連づけて前記ユーザ端末に提供する前記提供情報を決定するためのランク情報を前記提供主識別情報毎に格納するランク情報格納手段と、
前記取得した乱数情報と、前記提供主識別情報と、に対応する前記ランク情報を前記ランク情報格納手段から取得する手段と、
前記ランク情報と、該ランク情報が前記ＷＥＢサーバにおいて決定される確率情報と、に関連づけて、前記提供情報を前記提供主識別情報毎に格納する提供情報格納手段と、
前記取得したランク情報と、前記提供主識別情報と、に対応する前記提供情報を前記提供情報格納手段から取得し、該取得した提供情報を前記ユーザ端末に送信する手段と、
前記ランク情報と、前記確率情報と、に関連づけて前記提供主識別情報毎に格納する前記提供情報を設定変更する設定変更手段と、
を有することを特徴とするバナー広告提供システム。
【請求項５】
広告を含む複数種類の提供情報を取得するユーザ端末と、乱数を生成する乱数発生装置と、前記ユーザ端末に提供する前記提供情報を決定するためのランク情報を決定するランク決定装置と、接続し、前記提供情報を前記ユーザ端末に提供するバナー広告提供装置で行うバナー広告提供方法であって、
前記バナー広告提供装置は、前記ランク情報と、該ランク情報が前記ランク決定装置において決定される確率情報と、に関連づけて、前記提供情報を、前記提供主識別情報毎に格納しており、
前記ユーザ端末から前記提供情報の一覧画面情報の取得要求を受信した際に、前記提供情報の一覧画面情報を前記ユーザ端末に送信する工程と、
前記ユーザ端末から、前記ユーザ端末が取得することになる前記提供情報の抽選開始要求と、前記提供情報の提供主を識別する提供主識別情報と、を受信した際に、該受信した提供情報の抽選開始要求と、前記提供主識別情報と、を前記乱数発生装置に送信する工程と、
前記抽選開始要求を受信した前記乱数発生装置の出力を受信した前記ランク決定装置から前記ランク情報と、前記提供主識別情報と、を受信した際に、該受信した前記ランク情報と、前記提供主識別情報と、に対応する前記提供情報を前記バナー広告提供装置の具備する格納部から取得し、該取得した提供情報を前記ユーザ端末に送信する工程と、
前記ランク情報と、前記確率情報と、に関連づけて前記提供主識別情報毎に前記バナー広告提供装置の具備する格納部に格納されている前記提供情報を設定変更する設定変更工程と、
を、前記バナー広告提供装置が行うことを特徴とするバナー広告提供方法。
【請求項６】
広告を含む複数種類の提供情報をユーザ端末に提供するバナー広告提供装置で行うバナー広告提供方法であって、
前記バナー広告提供装置は、前記ユーザ端末に提供する前記提供情報を決定するためのランク情報と、該ランク情報が前記バナー広告提供装置において決定される確率情報と、に関連づけて、前記提供情報を前記提供主識別情報毎に格納しており、また、前記バナー広告提供装置が生成する乱数情報に関連づけて、前記ランク情報を前記提供主識別情報毎に格納しており、
前記ユーザ端末から前記提供情報の一覧画面情報の取得要求を受信した際に、前記提供情報の一覧画面情報を前記ユーザ端末に送信する工程と、
前記ユーザ端末から、前記ユーザ端末が取得することになる前記提供情報の抽選開始要求と、前記提供情報の提供主を識別する提供主識別情報と、を受信した際に、乱数を生成し、該生成した乱数情報を取得する工程と、
前記取得した乱数情報と、前記提供主識別情報と、に対応する前記ランク情報を前記バナー広告提供装置の具備する格納部から取得する工程と、
前記取得したランク情報と、前記提供主識別情報と、に対応する前記提供情報を前記バナー広告提供装置の具備する格納部から取得し、該取得した提供情報を前記ユーザ端末に送信する工程と、
前記ランク情報と、前記確率情報と、に関連づけて前記提供主識別情報毎に前記バナー広告提供装置の具備する格納部に格納されている前記提供情報を設定変更する設定変更工程と、
を、前記バナー広告提供装置が行うことを特徴とするバナー広告提供方法。
【請求項７】
広告を含む複数種類の提供情報を取得するユーザ端末と、乱数を生成する乱数発生装置と、前記ユーザ端末に提供する前記提供情報を決定するためのランク情報を決定するランク決定装置と、接続し、前記提供情報を前記ユーザ端末に提供するバナー広告提供装置において実行させるバナー広告提供プログラムであって、
前記バナー広告提供装置は、前記ランク情報と、該ランク情報が前記ランク決定装置において決定される確率情報と、に関連づけて、前記提供情報を、前記提供主識別情報毎に格納しており、
前記ユーザ端末から前記提供情報の一覧画面情報の取得要求を受信した際に、前記提供情報の一覧画面情報を前記ユーザ端末に送信する処理と、
前記ユーザ端末から、前記ユーザ端末が取得することになる前記提供情報の抽選開始要求と、前記提供情報の提供主を識別する提供主識別情報と、を受信した際に、該受信した提供情報の抽選開始要求と、前記提供主識別情報と、を前記乱数発生装置に送信する処理と、
前記抽選開始要求を受信した前記乱数発生装置の出力を受信した前記ランク決定装置から前記ランク情報と、前記提供主識別情報と、を受信した際に、該受信した前記ランク情報と、前記提供主識別情報と、に対応する前記提供情報を前記バナー広告提供装置の具備する格納部から取得し、該取得した提供情報を前記ユーザ端末に送信する処理と、
前記ランク情報と、前記確率情報と、に関連づけて前記提供主識別情報毎に前記バナー広告提供装置の具備する格納部に格納されている前記提供情報を設定変更する設定変更処理と、
を、前記バナー広告提供装置において実行させることを特徴とするバナー広告提供プログラム。
【請求項８】
広告を含む複数種類の提供情報をユーザ端末に提供するバナー広告提供装置において実行させるバナー広告提供プログラムであって、
前記バナー広告提供装置は、前記ユーザ端末に提供する前記提供情報を決定するためのランク情報と、該ランク情報が前記バナー広告提供装置において決定される確率情報と、に関連づけて、前記提供情報を前記提供主識別情報毎に格納しており、また、前記バナー広告提供装置が生成する乱数情報に関連づけて、前記ランク情報を前記提供主識別情報毎に格納しており、
前記ユーザ端末から前記提供情報の一覧画面情報の取得要求を受信した際に、前記提供情報の一覧画面情報を前記ユーザ端末に送信する処理と、
前記ユーザ端末から、前記ユーザ端末が取得することになる前記提供情報の抽選開始要求と、前記提供情報の提供主を識別する提供主識別情報と、を受信した際に、乱数を生成し、該生成した乱数情報を取得する処理と、
前記取得した乱数情報と、前記提供主識別情報と、に対応する前記ランク情報を前記バナー広告提供装置の具備する格納部から取得する処理と、
前記取得したランク情報と、前記提供主識別情報と、に対応する前記提供情報を前記バナー広告提供装置の具備する格納部から取得し、該取得した提供情報を前記ユーザ端末に送信する処理と、
前記ランク情報と、前記確率情報と、に関連づけて前記提供主識別情報毎に前記バナー広告提供装置の具備する格納部に格納されている前記提供情報を設定変更する設定変更処理と、
を、前記バナー広告提供装置において実行させることを特徴とするバナー広告提供プログラム。
【発明の詳細な説明】
【０００１】
【発明の属する技術分野】
本発明は、バナー広告提供システム、バナー広告提供方法、およびそのプログラムに関し、特に、ユーザ端末から情報の取得要求があった場合、複数の情報から無作為に１つを選択し、ユーザ端末に送信するバナー広告提供システム、バナー広告提供方法、およびそのプログラムに関する。
【０００２】
【従来の技術】
インターネット上では、ＷＥＢページ上にバナー広告を設けるといった広告形態が広く用いられている。しかしながら、ＷＥＢページを訪れるユーザのほとんどがバナー広告をクリックしないため、バナー広告の効果が期待できない場合もあった。
【０００３】
上記のような問題点を解決する発明として、特開２０００−１９４６３６号公報が開示するところのインターネット上の情報提供方法およびプログラム記録媒体（以下、従来例１）があった。従来例１では、ユーザがバナー広告をクリックし、広告を閲覧した場合、サーバは、ユーザに所定のサービスおよび情報を提供していた。
【０００４】
また、特開２０００−２９３５９１号公報が開示するところの懸賞応募システム（以下、従来例２）では、懸賞応募者は、仲介サーバが提供する質問に答え、その質問に対する正答率が所定の基準以上であった場合、懸賞提供者が提供する懸賞に応募することができた。上記の質問のヒントは、上記の懸賞提供者が管理する情報提供サーバから提供されるため、上記の懸賞提供者が管理する情報提供サーバにアクセスするユーザ（懸賞応募者）の数を増加させていた。
【０００５】
また、特開２００１−８４３０２号公報が開示するところの設問形式を用いた広告システム（以下、従来例３）では、広告出稿者が管理するＷＥＢサイトを見ることにより正解することが可能な設問が提供され、ユーザは、上記のＷＥＢサイトに表示されたヒントを基にして設問に答え、懸賞に応募していた。
【０００６】
【発明が解決しようとする課題】
しかしながら、従来例１では、基本的に１つのバナー広告をクリックすることにより閲覧可能となるコンテンツは１種類であるため、ユーザが繰り返しバナー広告をクリックする可能性は低い。さらに、上記の問題を解決するためには、上記のコンテンツを定期的に変更する必要があり、処理が複雑化してしまうといった問題点があった。また、ユーザが、閲覧可能となるコンテンツに興味が生じない場合、そのコンテンツに対応するバナー広告がクリックされる可能性は低いといった問題点もあった。
【０００７】
しかしながら、ユーザは、設問に答えるといった複雑な作業を行う必要があるため、ユーザに何度も広告を閲覧させることが困難であった。
【０００８】
本発明は、上記問題点に鑑みてなされたものであり、ＷＥＢページ上のバナー広告をＷＥＢサイト上の広告を繰り返しユーザに閲覧させ、広告における高い宣伝効果を実現するバナー広告提供システム、バナー広告提供方法、およびプログラムを提供することを目的とする。
【０００９】
【課題を解決するための手段】
かかる目的を達成するために、本発明は以下の特徴を有することとする。
本発明にかかるバナー広告提供装置は、広告を含む複数種類の提供情報を取得するユーザ端末と、乱数を生成する乱数発生装置と、ユーザ端末に提供する提供情報を決定するためのランク情報を決定するランク決定装置と、接続し、提供情報をユーザ端末に提供するバナー広告提供装置であって、ユーザ端末から提供情報の一覧画面情報の取得要求を受信した際に、提供情報の一覧画面情報をユーザ端末に送信する手段と、ユーザ端末から提供情報の一覧画面情報の中からユーザ端末が任意に取得することになる提供情報の抽選開始要求を受信した際に、該受信した提供情報の抽選開始要求を乱数発生装置に送信する手段と、ランク情報と、該ランク情報がランク決定装置において決定される確率情報と、に関連づけて、提供情報を格納する提供情報格納手段と、ランク決定装置からランク情報を受信した際に、該受信したランク情報に関連付けられて提供情報格納手段に格納されている提供情報を取得し、該取得した提供情報をユーザ端末に送信する手段と、ランク情報と、確率情報と、に関連づけて格納する提供情報を設定変更する設定変更手段と、を有することを特徴とするものである。
【００１０】
また、本発明にかかるバナー広告提供装置は、広告を含む複数種類の提供情報を取得するユーザ端末と、乱数を生成する乱数発生装置と、ユーザ端末に提供する提供情報を決定するためのランク情報を決定するランク決定装置と、接続し、提供情報をユーザ端末に提供するバナー広告提供装置であって、ユーザ端末から提供情報の一覧画面情報の取得要求を受信した際に、提供情報の一覧画面情報をユーザ端末に送信する手段と、ユーザ端末から提供情報の一覧画面情報の中からユーザ端末が任意に取得することになる提供情報の抽選開始要求と、提供情報の提供主を識別する提供主識別情報と、を受信した際に、該受信した提供情報の抽選開始要求と、提供主識別情報と、を乱数発生装置に送信する手段と、ランク情報と、該ランク情報がランク決定装置において決定される確率情報と、に関連づけて、提供情報を、提供主識別情報毎に格納する提供情報格納手段と、ランク決定装置からランク情報と、提供主識別情報と、を受信した際に、該受信したランク情報と、提供主識別情報と、に対応する提供情報を提供情報格納手段から取得し、該取得した提供情報をユーザ端末に送信する手段と、ランク情報と、確率情報と、に関連づけて提供主識別情報毎に格納する提供情報を設定変更する設定変更手段と、を有することを特徴とするものである。
【００１１】
また、本発明にかかるバナー広告提供装置は、広告を含む複数種類の提供情報をユーザ端末に提供するバナー広告提供装置であって、ユーザ端末から提供情報の一覧画面情報の取得要求を受信した際に、提供情報の一覧画面情報をユーザ端末に送信する手段と、ユーザ端末から提供情報の一覧画面情報の中からユーザ端末が任意に取得することになる提供情報の抽選開始要求を受信した際に、乱数を生成し、該生成した乱数情報を取得する手段と、乱数情報に関連づけて、ユーザ端末に提供する提供情報を決定するためのランク情報を格納するランク情報格納手段と、取得した乱数情報に関連づけられてランク情報格納手段に格納されているランク情報を取得する手段と、ランク情報と、該ランク情報がバナー広告提供装置において決定される確率情報と、に関連づけて、提供情報を格納する提供情報格納手段と、取得したランク情報に関連付けられて提供情報格納手段に格納されている提供情報を取得し、該取得した提供情報をユーザ端末に送信する手段と、ランク情報と、確率情報と、に関連づけて格納する提供情報を設定変更する設定変更手段と、を有することを特徴とするものである。
【００１２】
また、本発明にかかるバナー広告提供装置は、広告を含む複数種類の提供情報をユーザ端末に提供するバナー広告提供装置であって、ユーザ端末から提供情報の一覧画面情報の取得要求を受信した際に、提供情報の一覧画面情報をユーザ端末に送信する手段と、ユーザ端末から提供情報の一覧画面情報の中からユーザ端末が任意に取得することになる提供情報の抽選開始要求と、提供情報の提供主を識別する提供主識別情報と、を受信した際に、乱数を生成し、該生成した乱数情報を取得する手段と、乱数情報に関連づけて、ユーザ端末に提供する提供情報を決定するためのランク情報を提供主識別情報毎に格納するランク情報格納手段と、取得した乱数情報と、提供主識別情報と、に対応するランク情報をランク情報格納手段から取得する手段と、ランク情報と、該ランク情報がバナー広告提供装置において決定される確率情報と、に関連づけて、提供情報を提供主識別情報毎に格納する提供情報格納手段と、取得したランク情報と、提供主識別情報と、に対応する提供情報を提供情報格納手段から取得し、該取得した提供情報をユーザ端末に送信する手段と、ランク情報と、確率情報と、に関連づけて提供主識別情報毎に格納する提供情報を設定変更する設定変更手段と、を有することを特徴とするものである。
【００１３】
また、本発明にかかるバナー広告提供システムは、広告を含む複数種類の提供情報を格納するＷＥＢサーバと、提供情報を取得するユーザ端末と、乱数を生成する乱数発生装置と、ユーザ端末に提供する提供情報を決定するためのランク情報を決定するランク決定装置と、を有するバナー広告提供システムであって、ユーザ端末は、提供情報の一覧画面情報の取得要求をＷＥＢサーバに送信する手段と、一覧画面情報の取得要求によりＷＥＢサーバから取得した提供情報の一覧画面情報の中からユーザ端末が任意に取得することになる提供情報の抽選開始要求をＷＥＢサーバに送信する手段と、提供情報の抽選開始要求によりＷＥＢサーバから取得した提供情報を表示する手段と、を有し、ＷＥＢサーバは、ユーザ端末から提供情報の一覧画面情報の取得要求を受信した際に、提供情報の一覧画面情報をユーザ端末に送信する手段と、ユーザ端末から提供情報の抽選開始要求を受信した際に、該受信した提供情報の抽選開始要求を乱数発生装置に送信する手段と、ランク情報と、該ランク情報がランク決定装置において決定される確率情報と、に関連づけて、提供情報を格納する提供情報格納手段と、ランク決定装置からランク情報を受信した際に、該受信したランク情報に関連付けられて提供情報格納手段に格納されている提供情報を取得し、該取得した提供情報をユーザ端末に送信する手段と、ランク情報と、確率情報と、に関連づけて格納する提供情報を設定変更する設定変更手段と、を有し、乱数発生装置は、ＷＥＢサーバから提供情報の抽選開始要求を受信した際に、乱数を生成し、該生成した乱数情報をランク決定装置に送信する手段を有し、ランク決定装置は、乱数情報に関連づけてランク情報を格納するランク情報格納手段と、乱数発生装置から乱数情報を受信した際に、該受信した乱数情報に関連づけられてランク情報格納手段に格納されているランク情報を取得し、該取得したランク情報をＷＥＢサーバに送信する手段と、を有することを特徴とするものである。
【００１４】
また、本発明にかかるバナー広告提供システムは、広告を含む複数種類の提供情報を格納するＷＥＢサーバと、提供情報を取得するユーザ端末と、乱数を生成する乱数発生装置と、ユーザ端末に提供する提供情報を決定するためのランク情報を決定するランク決定装置と、を有するバナー広告提供システムであって、ユーザ端末は、提供情報の一覧画面情報の取得要求をＷＥＢサーバに送信する手段と、一覧画面情報の取得要求によりＷＥＢサーバから取得した提供情報の一覧画面情報の中からユーザ端末が任意に取得することになる提供情報の抽選開始要求と、提供情報の提供主を識別する提供主識別情報と、をＷＥＢサーバに送信する手段と、提供情報の抽選開始要求によりＷＥＢサーバから取得した提供情報を表示する手段と、を有し、ＷＥＢサーバは、ユーザ端末から提供情報の一覧画面情報の取得要求を受信した際に、提供情報の一覧画面情報をユーザ端末に送信する手段と、ユーザ端末から提供情報の抽選開始要求と、提供主識別情報と、を受信した際に、該受信した提供情報の抽選開始要求と、提供主識別情報と、を乱数発生装置に送信する手段と、ランク情報と、該ランク情報がランク決定装置において決定される確率情報と、に関連づけて、提供情報を、提供主識別情報毎に格納する提供情報格納手段と、ランク決定装置からランク情報と、提供主識別情報と、を受信した際に、該受信したランク情報と、提供主識別情報と、に対応する提供情報を提供情報格納手段から取得し、該取得した提供情報をユーザ端末に送信する手段と、ランク情報と、確率情報と、に関連づけて提供主識別情報毎に格納する提供情報を設定変更する設定変更手段と、を有し、乱数発生装置は、ＷＥＢサーバから提供情報の抽選開始要求と、提供主識別情報と、を受信した際に、乱数を生成し、該生成した乱数情報と、提供主識別情報と、をランク決定装置に送信する手段を有し、ランク決定装置は、乱数情報に関連づけてランク情報を提供主識別情報毎に格納するランク情報格納手段と、乱数発生装置から乱数情報と、提供主識別情報と、を受信した際に、該受信した提供主識別情報と、乱数情報と、に対応するランク情報をランク情報格納手段から取得し、該取得したランク情報と、提供主識別情報と、をＷＥＢサーバに送信する手段と、を有することを特徴とするものである。
【００１５】
また、本発明にかかるバナー広告提供システムは、広告を含む複数種類の提供情報を格納するＷＥＢサーバと、提供情報を取得するユーザ端末と、を有するバナー広告提供システムであって、ユーザ端末は、提供情報の一覧画面情報の取得要求をＷＥＢサーバに送信する手段と、一覧画面情報の取得要求によりＷＥＢサーバから取得した提供情報の一覧画面情報の中からユーザ端末が任意に取得することになる提供情報の抽選開始要求をＷＥＢサーバに送信する手段と、提供情報の抽選開始要求によりＷＥＢサーバから取得した提供情報を表示する手段と、を有し、ＷＥＢサーバは、ユーザ端末から提供情報の一覧画面情報の取得要求を受信した際に、提供情報の一覧画面情報をユーザ端末に送信する手段と、ユーザ端末から提供情報の抽選開始要求を受信した際に、乱数を生成し、該生成した乱数情報を取得する手段と、乱数情報に関連づけてランク情報を格納するランク情報格納手段と、取得した乱数情報に関連づけられてランク情報格納手段に格納されているランク情報を取得する手段と、ユーザ端末に提供する提供情報を決定するためのランク情報と、該ランク情報がＷＥＢサーバにおいて決定される確率情報と、に関連づけて、提供情報を格納する提供情報格納手段と、取得したランク情報に関連付けられて提供情報格納手段に格納されている提供情報を取得し、該取得した提供情報をユーザ端末に送信する手段と、ランク情報と、確率情報と、に関連づけて格納する提供情報を設定変更する設定変更手段と、を有することを特徴とするものである。
【００１６】
また、本発明にかかるバナー広告提供装システムは、広告を含む複数種類の提供情報を格納するＷＥＢサーバと、提供情報を取得するユーザ端末と、を有するバナー広告提供システムであって、ユーザ端末は、提供情報の一覧画面情報の取得要求をＷＥＢサーバに送信する手段と、一覧画面情報の取得要求によりＷＥＢサーバから取得した提供情報の一覧画面情報の中からユーザ端末が任意に取得することになる提供情報の抽選開始要求と、提供情報の提供主を識別する提供主識別情報と、をＷＥＢサーバに送信する手段と、提供情報の抽選開始要求によりＷＥＢサーバから取得した提供情報を表示する手段と、を有し、ＷＥＢサーバは、ユーザ端末から提供情報の一覧画面情報の取得要求を受信した際に、提供情報の一覧画面情報をユーザ端末に送信する手段と、ユーザ端末から提供情報の抽選開始要求と、提供主識別情報と、を受信した際に、乱数を生成し、該生成した乱数情報を取得する手段と、乱数情報に関連づけてユーザ端末に提供する提供情報を決定するためのランク情報を提供主識別情報毎に格納するランク情報格納手段と、取得した乱数情報と、提供主識別情報と、に対応するランク情報をランク情報格納手段から取得する手段と、ランク情報と、該ランク情報がＷＥＢサーバにおいて決定される確率情報と、に関連づけて、提供情報を提供主識別情報毎に格納する提供情報格納手段と、取得したランク情報と、提供主識別情報と、に対応する提供情報を提供情報格納手段から取得し、該取得した提供情報をユーザ端末に送信する手段と、ランク情報と、確率情報と、に関連づけて提供主識別情報毎に格納する提供情報を設定変更する設定変更手段と、を有することを特徴とするものである。
【００１７】
また、本発明にかかるバナー広告提供方法は、広告を含む複数種類の提供情報を取得するユーザ端末と、乱数を生成する乱数発生装置と、ユーザ端末に提供する提供情報を決定するためのランク情報を決定するランク決定装置と、接続し、提供情報をユーザ端末に提供するバナー広告提供装置で行うバナー広告提供方法であって、バナー広告提供装置は、ランク情報と、該ランク情報がランク決定装置において決定される確率情報と、に関連づけて、提供情報を格納しており、ユーザ端末から提供情報の一覧画面情報の取得要求を受信した際に、提供情報の一覧画面情報をユーザ端末に送信する工程と、ユーザ端末から提供情報の一覧画面情報の中からユーザ端末が任意に取得することになる提供情報の抽選開始要求を受信した際に、該受信した提供情報の抽選開始要求を乱数発生装置に送信する工程と、ランク決定装置からランク情報を受信した際に、該受信したランク情報に関連付けられてバナー広告提供装置の具備する格納部に格納されている提供情報を取得し、該取得した提供情報をユーザ端末に送信する工程と、ランク情報と、確率情報と、に関連づけてバナー広告提供装置の具備する格納部に格納されている提供情報を設定変更する設定変更工程と、を、バナー広告提供装置が行うことを特徴とするものである。
【００１８】
また、本発明にかかるバナー広告提供方法は、広告を含む複数種類の提供情報を取得するユーザ端末と、乱数を生成する乱数発生装置と、ユーザ端末に提供する提供情報を決定するためのランク情報を決定するランク決定装置と、接続し、提供情報をユーザ端末に提供するバナー広告提供装置で行うバナー広告提供方法であって、バナー広告提供装置は、ランク情報と、該ランク情報がランク決定装置において決定される確率情報と、に関連づけて、提供情報を、提供主識別情報毎に格納しており、ユーザ端末から提供情報の一覧画面情報の取得要求を受信した際に、提供情報の一覧画面情報をユーザ端末に送信する工程と、ユーザ端末から提供情報の一覧画面情報の中からユーザ端末が任意に取得することになる提供情報の抽選開始要求と、提供情報の提供主を識別する提供主識別情報と、を受信した際に、該受信した提供情報の抽選開始要求と、提供主識別情報と、を乱数発生装置に送信する工程と、ランク決定装置からランク情報と、提供主識別情報と、を受信した際に、該受信したランク情報と、提供主識別情報と、に対応する提供情報をバナー広告提供装置の具備する格納部から取得し、該取得した提供情報をユーザ端末に送信する工程と、ランク情報と、確率情報と、に関連づけて提供主識別情報毎にバナー広告提供装置の具備する格納部に格納されている提供情報を設定変更する設定変更工程と、を、バナー広告提供装置が行うことを特徴とするものである。
【００１９】
また、本発明にかかるバナー広告提供方法は、広告を含む複数種類の提供情報をユーザ端末に提供するバナー広告提供装置で行うバナー広告提供方法であって、バナー広告提供装置は、ユーザ端末に提供する提供情報を決定するためのランク情報と、該ランク情報がバナー広告提供装置において決定される確率情報と、に関連づけて、提供情報を格納しており、また、バナー広告提供装置が生成する乱数情報に関連づけて、ランク情報を格納しており、ユーザ端末から提供情報の一覧画面情報の取得要求を受信した際に、提供情報の一覧画面情報をユーザ端末に送信する工程と、ユーザ端末から提供情報の一覧画面情報の中からユーザ端末が任意に取得することになる提供情報の抽選開始要求を受信した際に、乱数を生成し、該生成した乱数情報を取得する工程と、取得した乱数情報に関連づけられてバナー広告提供装置の具備する格納部に格納されているランク情報を取得する工程と、取得したランク情報に関連付けられてバナー広告提供装置の具備する格納部に格納されている提供情報を取得し、該取得した提供情報をユーザ端末に送信する工程と、ランク情報と、確率情報と、に関連づけてバナー広告提供装置の具備する格納部に格納されている提供情報を設定変更する設定変更工程と、を、バナー広告提供装置が行うことを特徴とするものである。
【００２０】
また、本発明にかかるバナー広告提供方法は、広告を含む複数種類の提供情報をユーザ端末に提供するバナー広告提供装置で行うバナー広告提供方法であって、バナー広告提供装置は、ユーザ端末に提供する提供情報を決定するためのランク情報と、該ランク情報がバナー広告提供装置において決定される確率情報と、に関連づけて、提供情報を提供主識別情報毎に格納しており、また、バナー広告提供装置が生成する乱数情報に関連づけて、ランク情報を提供主識別情報毎に格納しており、ユーザ端末から提供情報の一覧画面情報の取得要求を受信した際に、提供情報の一覧画面情報をユーザ端末に送信する工程と、ユーザ端末から提供情報の一覧画面情報の中からユーザ端末が任意に取得することになる提供情報の抽選開始要求と、提供情報の提供主を識別する提供主識別情報と、を受信した際に、乱数を生成し、該生成した乱数情報を取得する工程と、取得した乱数情報と、提供主識別情報と、に対応するランク情報をバナー広告提供装置の具備する格納部から取得する工程と、取得したランク情報と、提供主識別情報と、に対応する提供情報をバナー広告提供装置の具備する格納部から取得し、該取得した提供情報をユーザ端末に送信する工程と、ランク情報と、確率情報と、に関連づけて提供主識別情報毎にバナー広告提供装置の具備する格納部に格納されている提供情報を設定変更する設定変更工程と、を、バナー広告提供装置が行うことを特徴とするものである。
【００２１】
また、本発明にかかるバナー広告提供プログラムは、広告を含む複数種類の提供情報を取得するユーザ端末と、乱数を生成する乱数発生装置と、ユーザ端末に提供する提供情報を決定するためのランク情報を決定するランク決定装置と、接続し、提供情報をユーザ端末に提供するバナー広告提供装置において実行させるバナー広告提供プログラムであって、バナー広告提供装置は、ランク情報と、該ランク情報がランク決定装置において決定される確率情報と、に関連づけて、提供情報を格納しており、ユーザ端末から提供情報の一覧画面情報の取得要求を受信した際に、提供情報の一覧画面情報をユーザ端末に送信する処理と、ユーザ端末から提供情報の一覧画面情報の中からユーザ端末が任意に取得することになる提供情報の抽選開始要求を受信した際に、該受信した提供情報の抽選開始要求を乱数発生装置に送信する処理と、ランク決定装置からランク情報を受信した際に、該受信したランク情報に関連付けられてバナー広告提供装置の具備する格納部に格納されている提供情報を取得し、該取得した提供情報をユーザ端末に送信する処理と、ランク情報と、確率情報と、に関連づけてバナー広告提供装置の具備する格納部に格納されている提供情報を設定変更する設定変更処理と、を、バナー広告提供装置において実行させることを特徴とするものである。また、本発明にかかるバナー広告提供プログラムは、広告を含む複数種類の提供情報を取得するユーザ端末と、乱数を生成する乱数発生装置と、ユーザ端末に提供する提供情報を決定するためのランク情報を決定するランク決定装置と、接続し、提供情報をユーザ端末に提供するバナー広告提供装置において実行させるバナー広告提供プログラムであって、バナー広告提供装置は、ランク情報と、該ランク情報がランク決定装置において決定される確率情報と、に関連づけて、提供情報を、提供主識別情報毎に格納しており、ユーザ端末から提供情報の一覧画面情報の取得要求を受信した際に、提供情報の一覧画面情報をユーザ端末に送信する処理と、ユーザ端末から提供情報の一覧画面情報の中からユーザ端末が任意に取得することになる提供情報の抽選開始要求と、提供情報の提供主を識別する提供主識別情報と、を受信した際に、該受信した提供情報の抽選開始要求と、提供主識別情報と、を乱数発生装置に送信する処理と、ランク決定装置からランク情報と、提供主識別情報と、を受信した際に、該受信したランク情報と、提供主識別情報と、に対応する提供情報をバナー広告提供装置の具備する格納部から取得し、該取得した提供情報をユーザ端末に送信する処理と、ランク情報と、確率情報と、に関連づけて提供主識別情報毎にバナー広告提供装置の具備する格納部に格納されている提供情報を設定変更する設定変更処理と、を、バナー広告提供装置において実行させることを特徴とするものである。また、本発明にかかるバナー広告提供プログラムは、広告を含む複数種類の提供情報をユーザ端末に提供するバナー広告提供装置において実行させるバナー広告提供プログラムであって、バナー広告提供装置は、ユーザ端末に提供する提供情報を決定するためのランク情報と、該ランク情報がバナー広告提供装置において決定される確率情報と、に関連づけて、提供情報を格納しており、また、バナー広告提供装置が生成する乱数情報に関連づけて、ランク情報を格納しており、ユーザ端末から提供情報の一覧画面情報の取得要求を受信した際に、提供情報の一覧画面情報をユーザ端末に送信する処理と、ユーザ端末から提供情報の一覧画面情報の中からユーザ端末が任意に取得することになる提供情報の抽選開始要求を受信した際に、乱数を生成し、該生成した乱数情報を取得する処理と、取得した乱数情報に関連づけられてバナー広告提供装置の具備する格納部に格納されているランク情報を取得する処理と、取得したランク情報に関連付けられてバナー広告提供装置の具備する格納部に格納されている提供情報を取得し、該取得した提供情報をユーザ端末に送信する処理と、ランク情報と、確率情報と、に関連づけてバナー広告提供装置の具備する格納部に格納されている提供情報を設定変更する設定変更処理と、を、バナー広告提供装置において実行させることを特徴とするものである。また、本発明にかかるバナー広告提供プログラムは、広告を含む複数種類の提供情報をユーザ端末に提供するバナー広告提供装置において実行させるバナー広告提供プログラムであって、バナー広告提供装置は、ユーザ端末に提供する提供情報を決定するためのランク情報と、該ランク情報がバナー広告提供装置において決定される確率情報と、に関連づけて、提供情報を提供主識別情報毎に格納しており、また、バナー広告提供装置が生成する乱数情報に関連づけて、ランク情報を提供主識別情報毎に格納しており、ユーザ端末から提供情報の一覧画面情報の取得要求を受信した際に、提供情報の一覧画面情報をユーザ端末に送信する処理と、ユーザ端末から提供情報の一覧画面情報の中からユーザ端末が任意に取得することになる提供情報の抽選開始要求と、提供情報の提供主を識別する提供主識別情報と、を受信した際に、乱数を生成し、該生成した乱数情報を取得する処理と、取得した乱数情報と、提供主識別情報と、に対応するランク情報をバナー広告提供装置の具備する格納部から取得する処理と、取得したランク情報と、提供主識別情報と、に対応する提供情報をバナー広告提供装置の具備する格納部から取得し、該取得した提供情報をユーザ端末に送信する処理と、ランク情報と、確率情報と、に関連づけて提供主識別情報毎にバナー広告提供装置の具備する格納部に格納されている提供情報を設定変更する設定変更処理と、を、バナー広告提供装置において実行させることを特徴とするものである。
【００２２】
【発明の実施の形態】
（第１の実施形態の構成）
図１は、本発明の第１の実施形態におけるバナー広告提供システムの構成を示す図である。以下、図１を用いて、本実施形態におけるバナー広告提供システムの構成について説明する。
【００２３】
本実施形態において、バナー広告提供システムは、少なくとも、ユーザ端末１と、ＷＥＢサーバ２と、乱数発生装置３と、ランク決定装置４と、インターネット５と、から構成される。
【００２４】
ユーザ端末１は、インターネット５を介してＷＥＢサーバ２と接続されている。また、ユーザ端末１は、ＷＥＢブラウザ（図示せず）を有し、そのＷＥＢブラウザを用いてインターネット５上の様々なＷＥＢページの表示が可能である。なお、ユーザ端末１は、ＰＣあるいは携帯端末であってもよいし、他の端末であってもよい。また、インターネット５に接続されるユーザ端末の数は任意であってもよい。
【００２５】
ＷＥＢサーバ２には、ユーザ端末１からの要求により情報コンテンツを提供するＷＥＢページ（以下、懸賞ＷＥＢページ）が格納されている。ユーザは、ユーザ端末１を用いて、懸賞ＷＥＢページが置かれている懸賞ＷＥＢサイトにアクセスし、懸賞ＷＥＢページを閲覧する。ユーザは、ユーザ端末１を用いて、懸賞ＷＥＢページ上に設けられている抽選起動ボタンをクリックする。抽選起動ボタンがクリックされると、抽選起動要求（情報取得要求）がユーザ端末１からＷＥＢサーバ２を介して乱数発生装置３に送信される。
【００２６】
ＷＥＢサーバ２には、複数種類の情報コンテンツが格納されている。情報コンテンツとは、広告主により提供され、ユーザにとって閲覧興味の対象となるコンテンツである。また、情報コンテンツは、所定の広告情報を含み、ユーザに閲覧されることにより、広告主にとって宣伝効果が期待できるコンテンツである。なお、情報コンテンツは、文字情報、音声情報、静止画、あるいは動画であってもよいし、他の形態の情報であってもよい。
【００２７】
また、ＷＥＢサーバ２に格納されている複数種類の情報コンテンツには、それぞれの情報コンテンツを識別するための情報である「ランク」が付加されている。
【００２８】
乱数発生装置３は、ＷＥＢサーバ２を介してユーザ端末１から抽選起動要求を受信した場合、乱数を生成する。ランク決定装置４は、乱数発生装置３により生成された乱数に基づいて、情報コンテンツそれぞれに対応している文字、数字、あるいは記号等の情報である「ランク」を決定する。ＷＥＢサーバ２は、ランク決定装置４により決定された「ランク」の情報（以下、ランク情報）に基づいて、格納している複数種類の情報コンテンツから所定の情報コンテンツを選択し（選択される情報コンテンツは「なし」としてもよい）、選択した情報コンテンツをユーザ端末１に送信する。
【００２９】
図１５の（ａ）は、本発明の第１の実施形態における乱数−ランクの対応表であり、図１５の（ｂ）は、本発明の第１の実施形態におけるランク−コンテンツの対応表であり、図１５の（ｃ）は、本発明の第１の実施形態における乱数−ランク−コンテンツの対応表である。以下、図１５の（ａ）、（ｂ）、および（ｃ）を用いて、本実施形態における乱数とランクとコンテンツとの関係について説明する。
【００３０】
本実施形態では、簡単のために、乱数は、０から９９までの１００個の値をとるとし、どの値も同等の確率で生成されるものとする。また、広告主は、懸賞ＷＥＢページに情報コンテンツＡＡＡ、ＢＢＢ、ＣＣＣの３つのコンテンツを提供するものとする。
【００３１】
図１５の（ａ）には、乱数発生装置３により生成された乱数に対応するランクが示されている。図１５の（ａ）に示されている乱数−ランクの対応表のデータ（以下、乱数−ランク対応データ）は、ランク決定装置４に格納されており、広告主の要求により変更および設定される。ランク決定装置４は、乱数発生装置３により生成された乱数と、乱数−ランク対応データと、に基づいて、ランクを決定する。すなわち、ランク決定装置４は、乱数−ランク対応データに基づいて乱数を所定値（ランク）に変換する。
【００３２】
図１５の（ｂ）には、ランク決定装置４により決定されたランクに対応する情報コンテンツが示されている。図１５の（ｂ）に示されているランク−コンテンツの対応表のデータ（以下、ランク−コンテンツ対応データ）は、ＷＥＢサーバ２に格納されており、広告主の要求および広告主により提供される情報コンテンツにより変更および設定される。ＷＥＢサーバ２は、ランク決定装置４により決定されたランクと、ランク−コンテンツ対応データと、に基づいて、自身に格納している複数種類の情報コンテンツから所定の情報コンテンツを選択し、ユーザ端末１に送信する。
【００３３】
図１５の（ｃ）は、図１５の（ａ）と（ｂ）とをまとめたものに、それぞれのランクが選択される「確率」の情報を加えた対応表である。例えば、ランク「１」の情報コンテンツＡＡＡは、乱数０〜２（３個）のうちいずれか１つが生成された場合、ＷＥＢサーバ２により選択される。乱数が取りうる全体の値は、乱数０〜９９（１００個）であるので、情報コンテンツＡＡＡが選択される「確率」は、３÷１００×１００＝３（％）となる。同様にして、情報コンテンツＢＢＢが選択される確率は１０％、情報コンテンツＣＣＣが選択される確率は２０％、情報コンテンツが何も選択されない確率は７７％となる。
【００３４】
上記のように、情報コンテンツが選択される確率にバラツキを設けることも可能である。例えば、一般的にユーザからの閲覧要求が多いと予想される情報コンテンツが選択される確率を、他の情報コンテンツよりも低い確率に設定することにより、ユーザが情報コンテンツの閲覧を要求する回数を増加させることが可能となる。
【００３５】
例えば、乱数発生装置３は、抽選起動要求を受信し、乱数「１１」を生成したとする。ランク決定装置４は、乱数発生装置３から受信した乱数情報「１１」と、乱数−ランク対応データと、に基づいてランクを決定する。図１５の（ａ）では、乱数「１１」は、ランク「２」に対応している。従って、ランク決定装置４は、ランクを「２」に決定し、ＷＥＢサーバ２にランク情報「２」を送信する。
【００３６】
ＷＥＢサーバ２は、受信したランク情報「２」と、ランク−コンテンツ対応データと、に基づいてユーザ端末１に送信する情報コンテンツを決定する。図１５の（ｂ）では、ランク「２」は、情報コンテンツＢＢＢに対応している。ＷＥＢサーバ２は、格納している複数種類の情報コンテンツから情報コンテンツＢＢＢを抽出し、ユーザ端末１に送信する。
【００３７】
なお、本実施形態において、乱数は０〜９９、ランクは１〜４としたが、その他の値をとってもよい。図１５に示されているように、ランクは、情報コンテンツに対して、選択される確率が低い順に、１、２、３、．．．．と設定されてもよいし、他の設定基準に基づいて設定されてもよい。また、広告主により提供される情報コンテンツも変更可能である。また、乱数、ランク、情報コンテンツの対応データも任意に設定可能であり、図１５に示されている対応表以外の対応データが設定されてもよい。
【００３８】
また、乱数発生装置３およびランク決定装置４は、ＷＥＢサーバ２内に設けられてもよいし、ＷＥＢサーバ２と所定のネットワークを介して接続されてもよい。また、上記の所定のネットワークは、インターネット５であってもよい。
【００３９】
（第１の実施形態の動作）
図４は、本発明の第１の実施形態におけるバナー広告提供システムの懸賞ＷＥＢページの画面表示の遷移図である。本実施形態における懸賞ＷＥＢページには、カテゴリ選択画面４０と、バナー広告選択画面４１と、コンテンツ一覧表示画面４２と、コンテンツ抽選結果画面４３と、ダウンロード画面４４と、が表示される。
【００４０】
図６は、本発明の第１の実施形態におけるバナー広告提供システムのカテゴリ選択画面４０の画面構成を示す図である。カテゴリ選択画面４０は、少なくとも、カテゴリアイコン６１〜６８と、カテゴリ選択メッセージ６９と、から構成されている。
【００４１】
カテゴリアイコン６１〜６８には、それぞれ、「音楽」、「旅行」、「車」、「スポーツ」、「ゲームソフト」、「コンピュータ」、「ＴＶ」、「本」といった各種カテゴリ名が表示されている。ユーザは、ユーザ端末１を用いて、「カテゴリを選択して下のアイコンをクリックして下さい」と表示されているカテゴリ選択メッセージ６９の指示に沿って、カテゴリアイコン６１〜６８のうちいずれか１つを選択し、選択したカテゴリアイコンをクリックする。カテゴリアイコンがクリックされると、ユーザ端末１における画面表示は、クリックされたカテゴリアイコンに対応するカテゴリに係るバナー広告選択画面４１に遷移する。
【００４２】
図７は、本発明の第１の実施形態におけるバナー広告提供システムのバナー広告選択画面４１の画面構成を示す図である。バナー広告選択画面４１は、少なくとも、選択カテゴリ表示７１と、バナー広告選択メッセージ７２と、バナー広告７３〜７８と、から構成されている。なお、図７に示されているバナー広告選択画面４１は、カテゴリ選択画面４０においてカテゴリアイコン６１「音楽」が選択された場合を示している。
【００４３】
選択カテゴリ表示７１には、カテゴリ選択画面４０において選択されたカテゴリ「音楽」が表示されている。バナー広告７３〜７８には、それぞれ、「レコード会社Ｍａ」、「レコード会社Ｍｂ」、「レコード会社Ｍｃ」、「オーディオメーカーＭｄ」、「オーディオメーカーＭｅ」、「楽器メーカーＭｆ」といったカテゴリ「音楽」に関連する広告主名が表示されている。ユーザは、ユーザ端末１を用いて、「下のバナー広告から１つを選択してクリックして下さい」と表示されているバナー広告選択メッセージ７２の指示に沿って、バナー広告７３〜７８のうちいずれか１つを選択し、クリックする。バナー広告がクリックされると、ユーザ端末１における画面表示は、クリックされたバナー広告の広告主に係るコンテンツ一覧表示画面４２に遷移する。
【００４４】
図８は、本発明の第１の実施形態におけるバナー広告提供システムのコンテンツ一覧表示画面４２の画面構成を示す図である。コンテンツ一覧表示画面４２は、少なくとも、選択広告主表示８１と、抽選起動メッセージ８２と、抽選起動ボタン８３と、コンテンツ一覧８４と、から構成されている。なお、図８に示されているコンテンツ一覧表示画面４２は、バナー広告選択画面４１においてバナー広告７４「レコード会社Ｍｂ」が選択された場合を示している。
【００４５】
選択広告主表示８１には、バナー広告選択画面４１において選択されたバナー広告の広告主「レコード会社Ｍｂ」が表示されている。コンテンツ一覧８４には、それぞれ、「１：歌手Ｓａのコメント付き未公開ビデオクリップ」、「２：歌手Ｓｂのコメント付き未公開ビデオクリップ」、「３：歌手Ｓａの新曲（５／１８発売）のダイジェスト」、「４：歌手Ｓａの曲「○○○」のビデオクリップ」、「５：歌手Ｓｂの曲「×××」のビデオクリップ」といった広告主により提供可能な情報コンテンツの一覧が表示されている。ユーザは、ユーザ端末１を用いて、「下のボタンをクリックするとコンテンツの抽選を開始します」と表示されている抽選起動メッセージ８２の指示に沿って、抽選起動ボタン８３をクリックする。抽選起動ボタン８３がクリックされると、抽選が行われ、ユーザ端末１における画面表示は、コンテンツ抽選結果画面４３に遷移する。
【００４６】
図９は、本発明の第１の実施形態におけるバナー広告提供システムのコンテンツ抽選結果画面４３の画面構成を示す図である。コンテンツ抽選結果画面４３は、少なくとも、選択広告主表示９１と、抽選結果メッセージ９２と、広告メッセージ９３と、ダウンロード開始ボタン９４と、戻るボタン９５と、から構成されている。なお、図９に示されているコンテンツ抽選結果画面４３は、抽選の結果、複数の情報コンテンツのうち「４：歌手Ｓａの曲「○○○」のビデオクリップ」が選択された場合を示している。
【００４７】
選択広告主表示９１には、バナー広告選択画面４１において選択されたバナー広告の広告主「レコード会社Ｍｂ」が表示されている。抽選結果メッセージ９２には、「あなたがダウンロードできるコンテンツは４．歌手Ｓａの曲「○○○」のビデオクリップです。下の「ダウンロード開始ボタン」をクリックすると、ダウンロードを開始します。「戻る」をクリックすると、カテゴリ選択画面に戻ります。」と表示されている。ユーザは、ユーザ端末１を用いて、抽選結果メッセージ９２の指示に沿って、ダウンロード開始ボタン９４および戻るボタン９５のうちいずれかをクリックする。ダウンロード開始ボタン９４が選択された場合、ユーザ端末１における画面表示は、ダウンロード画面４４に遷移する。また、戻るボタン９５が選択された場合、ユーザ端末１における画面表示は、再度カテゴリ選択画面４０に遷移する。また、広告メッセージ９３には、「曲「○○○」は全国レコード店で好評発売中です。」と表示されている。上記のように、広告メッセージ９３には、選択された情報コンテンツに関連する広告を表示してもよいし、全く独立した内容の広告を表示してもよい。
【００４８】
図１０は、本発明の第１の実施形態におけるバナー広告提供システムのダウンロード画面４４の画面構成を示す図である。ダウンロード画面４４は、少なくとも、選択広告主表示１０１と、ダウンロードメッセージ１０２と、広告メッセージ１０３と、ダウンロード中止ボタン１０４と、戻るボタン１０５と、から構成されている。なお、図１０に示されているダウンロード画面４４は、図９に示されるコンテンツ抽選結果画面４３において、ダウンロード開始ボタン９４が選択された場合を示している。
【００４９】
選択広告主表示１０１には、バナー広告選択画面４１において選択されたバナー広告の広告主「レコード会社Ｍｂ」が表示されている。ダウンロードメッセージ１０２には、「あなたが現在ダウンロード中のコンテンツは４．歌手Ｓａの曲「○○○」のビデオクリップです。下の「ダウンロード中止ボタン」をクリックすると、ダウンロードを中止します。「戻る」をクリックすると、カテゴリ選択画面に戻ります。」と表示されている。ユーザは、ユーザ端末１を用いて、抽選結果メッセージ１０２の指示に沿って、ダウンロード中止ボタン１０４をクリックすると、情報コンテンツのダウンロードが中止される。ダウンロードの中止／終了後、戻るボタン１０５をクリックすると、ユーザ端末１における画面表示は、再度カテゴリ選択画面４０に遷移する。また、広告メッセージ１０３には、「曲「○○○」は全国レコード店で好評発売中です。」と表示されている。上記のように、広告メッセージ１０３には、選択された情報コンテンツに関連する広告を表示してもよいし、全く独立した内容の広告を表示してもよい。
【００５０】
なお、本実施形態では、広告主が複数存在する場合について説明したが、広告主が単数の場合、カテゴリ選択画面４０およびバナー広告選択画面４１は、ユーザ端末１に表示されなくてもよい。上記の場合、ＷＥＢサーバ２は、ユーザ端末１からのアクセスを確認後、コンテンツ一覧表示画面４２を表示するようにしてもよいし、他の画面を表示してもよい。
【００５１】
図２は、本発明の第１の実施形態におけるバナー広告提供システムの動作の流れを示すフローチャートである。以下、図１、図４、図６〜図１０を用い、図２に沿って、本実施形態におけるバナー広告提供システムの動作について説明する。
【００５２】
まず、ＷＥＢサーバ２は、ユーザ端末１からＷＥＢサーバ２上の懸賞ＷＥＢサイトへのアクセスを確認したか否かを判断する（ステップＳ２０１）。ユーザ端末１からのアクセスが確認されなかった場合は（ステップＳ２０１／Ｎｏ）、ステップＳ２０１の工程が繰り返される。
【００５３】
ユーザ端末１から懸賞ＷＥＢサイトへのアクセスが確認された場合（ステップＳ２０１／Ｙｅｓ）、ＷＥＢサーバ２は、ユーザ端末１にカテゴリ選択画面４０を表示させる（ステップＳ２０２）。
【００５４】
カテゴリ選択画面４０表示後、ユーザ端末１によりカテゴリが選択されたか否かを判断する（ステップＳ２０３）。ユーザ端末１によりカテゴリが選択されていない場合は（ステップＳ２０３／Ｎｏ）、ステップＳ２０３の工程が繰り返される。
【００５５】
ユーザ端末１によりカテゴリが選択されたと判断された場合（ステップＳ２０３／Ｙｅｓ）、ＷＥＢサーバ２は、選択されたカテゴリに関連するバナー広告が表示されているバナー広告選択画面４１をユーザ端末１に表示させる（ステップＳ２０４）。
【００５６】
バナー広告選択画面４１表示後、ユーザ端末１により、バナー広告選択画面４１上に設けられている１以上のバナー広告のうちいずれか１つが選択されたか否かを判断する（ステップＳ２０５）。選択されていないと判断された場合（ステップＳ２０５／Ｎｏ）、ステップＳ２０５の工程が繰り返される。
【００５７】
バナー広告選択画面４１上に設けられている１以上のバナー広告からいずれか１つが選択されたと判断された場合（ステップＳ２０５／Ｙｅｓ）、ＷＥＢサーバ２は、選択されたバナー広告の広告主が提供するコンテンツの一覧が表示されているコンテンツ一覧表示画面４２をユーザ端末１に表示させる（ステップＳ２０６）。
【００５８】
コンテンツ一覧表示画面４２表示後、ユーザ端末１は、コンテンツ一覧表示画面４２上に設けられている抽選起動ボタンをクリックすることにより、抽選起動要求をＷＥＢサーバ２を介して乱数発生装置３に送信する（ステップＳ２０７）。また、上記の抽選起動要求には、ユーザ端末１がクリックしたバナー広告の広告主を識別する情報である広告主識別情報が含まれている。
【００５９】
乱数発生装置３は、ユーザ端末１による抽選起動要求を受信したか否かを判断する（ステップＳ２０８）。受信していないと判断された場合（ステップＳ２０８／Ｎｏ）、ステップＳ２０８の工程が繰り返される。
【００６０】
乱数発生装置３がユーザ端末１による抽選起動要求を受信したと判断した場合（ステップＳ２０８／Ｙｅｓ）、乱数発生装置３は、乱数を生成する。乱数発生装置３は、生成された乱数情報に、広告主識別情報を付加する。広告主識別情報が付加された乱数情報は、ランク決定装置４に送信される（ステップＳ２０９）。
【００６１】
ランク決定装置４は、広告主識別情報が付加された乱数情報を受信する。なお、ランク決定装置４に格納されている乱数−ランク対応データは、広告主別に用意されている。ランク決定装置４は、受信した広告主識別情報に基づいて、ユーザ端末１により選択された広告主に係る乱数−ランク対応データを抽出する。ランク決定装置４は、受信した乱数情報と、抽出した乱数−ランク対応データと、に基づいてランクを決定する（ステップＳ２１０）。ランク決定装置４は、決定したランク情報に、広告主識別情報を付加する。広告主識別情報が付加されたランク情報は、ＷＥＢサーバ２に送信される。
【００６２】
ＷＥＢサーバ２は、広告主識別情報が付加されたランク情報を受信する。なお、ＷＥＢサーバ２に格納されているランク−コンテンツ対応データは、広告主別に用意されている。ＷＥＢサーバ２は、受信した広告主識別情報に基づいて、ユーザ端末１により選択された広告主に係るランク−コンテンツ対応データを抽出する。ＷＥＢサーバ２は、受信したランク情報と、抽出したランク−コンテンツ対応データと、に基づいて、格納している複数種類の情報コンテンツからユーザ端末１に送信する情報コンテンツを選択する（ステップＳ２１１）。
【００６３】
ＷＥＢサーバ２は、選択した情報コンテンツに基づくコンテンツ抽選結果画面４３をユーザ端末１に表示させる（ステップＳ２１２）。
【００６４】
コンテンツ抽選結果画面４３表示後、ＷＥＢサーバ２は、選択した情報コンテンツに係るユーザ端末１からのダウンロード要求を受信したか否かを判断する（ステップＳ２１３）。ダウンロード要求が受信されていないと判断された場合（ステップＳ２１３／Ｎｏ）、ステップＳ２１２の工程が繰り返される。
【００６５】
ユーザ端末１からのダウンロード要求が受信されたと判断された場合（ステップＳ２１３／Ｙｅｓ）、ユーザ端末１からダウンロード要求された情報コンテンツをユーザ端末１に送信する（ステップＳ２１４）。情報コンテンツ送信後、バナー広告提供システムによる処理は終了する。
【００６６】
以上説明したように、レコード会社が提供する情報コンテンツを自社に所属する歌手の音楽とした場合、情報コンテンツ自体を広告媒体として用いることが可能となる。また、本実施形態のように、広告メッセージ９３をユーザ端末１の表示画面上に設けることにより、さらに宣伝効果を高めることが可能となる。
【００６７】
本実施形態において、ＷＥＢサーバ２は、広告の要素を含む情報コンテンツをランダムに決定し、ユーザ端末１に送信することによって、ユーザは、閲覧を希望する情報コンテンツがユーザ端末１に表示されるまで何度も抽選起動ボタンを何度もクリックし、抽選起動要求を行う。その結果、広告主は、自身が提供した情報コンテンツを何度もユーザに閲覧させ、情報コンテンツによる宣伝効果を高めることが可能となる。
【００６８】
（第２の実施形態の構成）
本発明の第２の実施形態の構成は、以下、特記しない限り、本発明の第１の実施形態の構成と同様であるとする。以下、図１を用いて、本実施形態におけるバナー広告提供システムの構成について説明する。
【００６９】
バナー広告提供システムは、少なくとも、ユーザ端末１と、ＷＥＢサーバ２と、乱数発生装置３と、ランク決定装置４と、インターネット５と、から構成される。
【００７０】
ユーザ端末１は、インターネット５を介してＷＥＢサーバ２と接続されている。また、ユーザ端末１は、ＷＥＢブラウザ（図示せず）を有し、そのＷＥＢブラウザを用いてインターネット５上の様々なＷＥＢページの表示が可能である。なお、ユーザ端末１は、ＰＣあるいは携帯端末であってもよいし、他の端末であってもよい。また、図１では、インターネット５に接続されているユーザ端末は１つであるが、もちろん複数であってもよい。
【００７１】
ユーザは、ユーザ端末１を用いて、懸賞ＷＥＢページが置かれている懸賞ＷＥＢサイトにアクセスし、懸賞ＷＥＢページを閲覧する。ユーザは、ユーザ端末１を用いて、懸賞ＷＥＢページ上に設けられている抽選起動ボタンをクリックする。抽選起動ボタンがクリックされると、抽選起動要求がユーザ端末１からＷＥＢサーバ２および乱数発生装置３に送信される。
【００７２】
ＷＥＢサーバ２には、複数種類の広告コンテンツおよび景品コンテンツが格納されている。広告コンテンツとは、広告主により提供され、広告主にとって宣伝効果の高い広告を含むコンテンツである。また、景品コンテンツは、広告主により提供される景品が表示されているコンテンツである。景品コンテンツがユーザ端末１に表示／送信されることにより、ユーザは、上記の景品コンテンツに表示されている景品を取得することが可能となる。なお、広告コンテンツおよび景品コンテンツは、文字情報、音声情報、静止画、あるいは動画であってもよいし、他の形態の情報であってもよい。また、ＷＥＢサーバ２には、ユーザ端末１からの要求により広告コンテンツおよび景品コンテンツを提供する懸賞ＷＥＢページが格納されている。
【００７３】
なお、景品コンテンツは、第１の実施形態における情報コンテンツと同様に、乱数−ランク−コンテンツの対応データに基づいて、選択されるものとする。
【００７４】
また、ＷＥＢサーバ２は、ユーザ端末１から抽選起動要求を受信すると、自身に格納している広告コンテンツをユーザ端末１に送信し、表示させる。ＷＥＢサーバ２は、広告コンテンツをユーザ端末１に送信するとともに、時間の計測を開始する。ＷＥＢサーバ２は、所定時間経過後、ランク決定装置４から送信されるランク情報と、自身が格納するランク−コンテンツ対応データと、に基づいて、自身に格納している複数種類の景品コンテンツから１つを選択し（選択される景品コンテンツは「なし」としてもよい）、ユーザ端末１に送信する。
【００７５】
また、ＷＥＢサーバ２に格納されている複数種類の景品コンテンツには、それぞれの景品コンテンツを識別するための情報である「ランク」が付加されている。
【００７６】
また、ＷＥＢサーバ２には、ユーザ端末１からの要求により景品コンテンツを提供するＷＥＢページ（以下、懸賞ＷＥＢページ）が格納されている。
【００７７】
乱数発生装置３は、ＷＥＢサーバ２を介してユーザ端末１から抽選起動要求を受信した場合、乱数を生成する。
【００７８】
ランク決定装置４は、乱数発生装置３から送信された乱数情報と、乱数−ランク対応データと、に基づいてランクを決定する。すなわち、ランク決定装置４は、乱数−ランク対応データに基づいて乱数を、各景品コンテンツに対応する所定値（ランク）に変換する。決定されたランク情報は、ＷＥＢサーバ２に送信される。
【００７９】
なお、乱数およびランクは任意の値を設定することが可能である。また、広告主により提供される広告コンテンツおよび景品コンテンツも変更可能である。また、乱数、ランク、景品コンテンツの対応データも任意に設定可能である。
【００８０】
また、乱数発生装置３およびランク決定装置４は、ＷＥＢサーバ２内に設けられてもよいし、ＷＥＢサーバ２と所定のネットワークを介して接続されてもよい。また、上記の所定のネットワークは、インターネット５であってもよい。
【００８１】
（第２の実施形態の動作）
図５は、本発明の第２の実施形態におけるバナー広告提供システムの懸賞ＷＥＢページの画面表示の遷移図である。本実施形態における懸賞ＷＥＢページには、カテゴリ選択画面５０と、バナー広告選択画面５１と、景品一覧表示画面５２と、広告表示画面５３と、景品抽選結果画面５４と、が表示される。
【００８２】
本実施形態におけるカテゴリ選択画面５０は、以下、特記しない限り本発明の第１の実施形態におけるカテゴリ選択画面４０と同様であるとする。また、カテゴリ選択画面５０は、図６に示されているカテゴリ選択画面の画面構成をとってもよい。以下、図６を用いて、本実施形態におけるカテゴリ選択画面５０の画面構成について説明する。
【００８３】
カテゴリアイコン６１〜６８には、それぞれ、「音楽」、「旅行」、「車」、「スポーツ」、「ゲームソフト」、「コンピュータ」、「ＴＶ」、「本」といった各種カテゴリ名が表示されている。ユーザは、ユーザ端末１を用いて、「カテゴリを選択して下のアイコンをクリックして下さい」と表示されているカテゴリ選択メッセージ６９の指示に沿って、カテゴリアイコン６１〜６８のうちいずれか１つを選択し、選択したカテゴリアイコンをクリックする。カテゴリアイコンがクリックされると、ユーザ端末１における画面表示は、クリックされたカテゴリアイコンに対応するカテゴリに係るバナー広告選択画面５１に遷移する。
【００８４】
図１１は、本発明の第２の実施形態におけるバナー広告提供システムのバナー広告選択画面５１の画面構成を示す図である。バナー広告選択画面５１は、少なくとも、選択カテゴリ表示１１１と、バナー広告選択メッセージ１１２と、バナー広告１１３〜１１６と、から構成されている。なお、図１１に示されているバナー広告選択画面５１は、カテゴリ選択画面５０においてカテゴリアイコン６１「旅行」が選択された場合を示している。
【００８５】
選択カテゴリ表示１１１には、カテゴリ選択画面５０において選択されたカテゴリ「旅行」が表示されている。バナー広告１１３〜１１６には、それぞれ、「旅行会社Ｔａ」、「旅行会社Ｔｂ」、「旅行会社Ｔｃ」、「航空会社Ｔｄ」といったカテゴリ「旅行」に関連する広告主名が表示されている。ユーザは、ユーザ端末１を用いて、「下のバナー広告から１つを選択してクリックして下さい」と表示されているバナー広告選択メッセージ１１２の指示に沿って、バナー広告１１３〜１１６のうちいずれか１つを選択し、選択したバナー広告をクリックする。バナー広告がクリックされると、ユーザ端末１における画面表示は、クリックされたバナー広告の広告主に係る景品一覧表示画面５２に遷移する。
【００８６】
図１２は、本発明の第２の実施形態におけるバナー広告提供システムの景品一覧表示画面５２の画面構成を示す図である。景品一覧表示画面５２は、少なくとも、選択広告主表示１２１と、抽選起動メッセージ１２２と、抽選起動ボタン１２３と、景品一覧１２４と、から構成されている。なお、図１２に示されている景品一覧表示画面５２は、バナー広告選択画面５１においてバナー広告１１３「旅行会社Ｔａ」が選択された場合を示している。
【００８７】
選択広告主表示１２１には、バナー広告選択画面５１において選択されたバナー広告の広告主「旅行会社Ｔａ」が表示されている。景品一覧１２４には、それぞれ、「１等：ヨーロッパ１２泊１３日」、「２等：オーストラリア７泊８日」、「３等：グアム２泊３日」、「４等：熱海１泊２日」、「５等：館山日帰り」といった広告主により提供可能な景品の一覧が表示されている。ユーザは、ユーザ端末１を用いて、「下のボタンをクリックするとコンテンツの抽選を開始します」と表示されている抽選起動メッセージ１２２の指示に沿って、抽選起動ボタン１２３をクリックする。抽選起動ボタン１２３がクリックされると、抽選が行われ、ユーザ端末１における画面表示は、広告表示画面５３に遷移する。
【００８８】
図１３は、本発明の第２の実施形態におけるバナー広告提供システムの広告表示画面５３の画面構成を示す図である。広告表示画面４３は、ＷＥＢサーバ２からユーザ端末１に広告コンテンツが送信されることにより、ユーザ端末１において表示可能となる。また、広告表示画面４３は、少なくとも、選択広告主表示１３１と、広告メッセージ１３２と、抽選中メッセージ１３３と、から構成されている。なお、図１３に示されている広告表示画面５３は、広告主により提供される広告コンテンツがＷＥＢサーバ２からユーザ端末１に送信されることによりユーザ端末１において表示可能となる。また、広告メッセージ１３２の内容は、広告主により設定され、景品と関連する内容であってもよいし、景品とは独立した内容であってもよい。
【００８９】
選択広告主表示１３１には、バナー広告選択画面５１において選択されたバナー広告の広告主「旅行会社Ｔａ」が表示されている。広告メッセージ１３２には、「国内旅行プラン（６／１〜６／１５）のお知らせ．．．．．．．．」といった広告情報が表示されている。抽選中メッセージ１３３には、「現在抽選中です。しばらくお待ち下さい。」とのメッセージが表示されている。なお、広告メッセージは、図１３で示されるような文字情報である必要はなく、例えば、旅行目的地の画像といった静止画像、動画、あるいは音声情報等であってもよい。
【００９０】
ユーザ端末１における広告表示画面５３表示は、所定時間継続される。なお、広告表示画面５３が表示される時間は、予めＷＥＢサーバ２に設定されており、任意の値に設定可能である。広告表示画面５３が表示されてから、所定時間経過すると、ユーザ端末１の画面表示は、景品抽選結果画面５４に遷移する。
【００９１】
図１４は、本発明の第２の実施形態におけるバナー広告提供システムの景品抽選結果画面５４の画面構成を示す図である。景品抽選結果画面５４は、ＷＥＢサーバ２からユーザ端末１に景品コンテンツが送信されることにより、ユーザ端末１において表示可能となる。また、景品抽選結果画面５４は、少なくとも、選択広告主表示１４１と、抽選結果メッセージ１４２と、ユーザデータ登録欄１４３と、送信ボタン１４４と、戻るボタン１４５と、から構成されている。なお、図１４に示されている景品抽選結果画面４４は、図１２に示される景品一覧表示画面５２において、景品「４等：熱海１泊２日」を取得する権利がユーザに発生した場合を示している。
【００９２】
選択広告主表示１４１には、バナー広告選択画面５１において選択されたバナー広告の広告主「旅行会社Ｔａ」が表示されている。抽選結果メッセージ１４２には、景品「４等：熱海１泊２日」を取得する権利がユーザに発生した旨が表示されている。また、抽選結果メッセージ１４２には、ユーザに景品を取得する意志がある場合、ユーザデータ登録欄１４３に所定の事項を入力した後、送信ボタン１４４をクリックし、景品を取得する意志がない場合、戻るボタン１４５をクリックすることが指示されている。
【００９３】
ユーザが、ユーザデータ登録欄１４３に自身の個人データを入力し、送信ボタン１４４をクリックすると、ユーザの個人データがＷＥＢサーバ２に送信され、ＷＥＢサーバ２に登録される。ＷＥＢサーバ２登録後、ユーザへの景品受け渡しの手順が進められる。また、ユーザが戻るボタン１４５をクリックすると、ユーザ端末１における画面表示は、再度カテゴリ選択画面５０に遷移する。
【００９４】
なお、本実施形態では、広告主が複数存在する場合について説明したが、広告主が単数の場合、カテゴリ選択画面５０およびバナー広告選択画面５１は、ユーザ端末１に表示されなくてもよい。上記の場合、ＷＥＢサーバ２は、ユーザ端末１からのアクセスを確認後、景品一覧表示画面５２を表示するようにしてもよいし、他の画面を表示してもよい。
【００９５】
図３は、本発明の第２の実施形態におけるバナー広告提供システムの動作の流れを示すフローチャートである。以下、図１、図５、図１１〜図１４を用い、図３に沿って、本実施形態におけるバナー広告提供システムの動作について説明する。
【００９６】
まず、ＷＥＢサーバ２は、ユーザ端末１からＷＥＢサーバ２上の懸賞ＷＥＢサイトへのアクセスを確認したか否かを判断する（ステップＳ３０１）。ユーザ端末１からのアクセスが確認されなかった場合は（ステップＳ３０１／Ｎｏ）、ステップＳ３０１の工程が繰り返される。
【００９７】
ユーザ端末１から懸賞ＷＥＢサイトへのアクセスが確認された場合（ステップＳ３０１／Ｙｅｓ）、ＷＥＢサーバ２は、ユーザ端末１にカテゴリ選択画面５０を表示させる（ステップＳ３０２）。
【００９８】
カテゴリ選択画面５０表示後、ユーザ端末１によりカテゴリが選択されたか否かを判断する（ステップＳ３０３）。ユーザ端末１によりカテゴリが選択されていない場合は（ステップＳ３０３／Ｎｏ）、ステップＳ３０３の工程が繰り返される。
【００９９】
ユーザ端末１によりカテゴリが選択されたと判断された場合（ステップＳ３０３／Ｙｅｓ）、ＷＥＢサーバ２は、選択されたカテゴリに関連するバナー広告が表示されているバナー広告選択画面５１をユーザ端末１に表示させる（ステップＳ３０４）。
【０１００】
バナー広告選択画面５１表示後、ユーザ端末１により、バナー広告選択画面５１上に設けられている複数のバナー広告のうちいずれか１つが選択されたか否かを判断する（ステップＳ３０５）。選択されていないと判断された場合（ステップＳ３０５／Ｎｏ）、ステップＳ３０５の工程が繰り返される。
【０１０１】
バナー広告選択画面５１上に設けられているバナー広告からいずれか１つが選択されたと判断された場合（ステップＳ３０５）、ＷＥＢサーバ２は、選択されたバナー広告の広告主が提供する景品の一覧が表示されている景品一覧表示画面５２をユーザ端末１に表示させる（ステップＳ３０６）。
【０１０２】
景品一覧表示画面５２表示後、ユーザ端末１が景品一覧表示画面５２上に設けられている抽選起動ボタンをクリックすると、ユーザ端末１からＷＥＢサーバ２に抽選起動要求が送信される。さらに、ユーザ端末１からの抽選起動要求は、ＷＥＢサーバ２を介して乱数発生装置３に送信される（ステップＳ３０７）。また、上記の抽選起動要求には、広告主識別情報が含まれている。
【０１０３】
ＷＥＢサーバ２は、ユーザ端末１から上記の抽選起動要求を受信したか否かを判断する（ステップＳ３０８）。受信していないと判断された場合（ステップＳ３０８／Ｎｏ）、ステップＳ３０８の工程が繰り返される。
【０１０４】
ＷＥＢサーバ２がユーザ端末１からの抽選起動要求を受信したと判断した場合（ステップＳ３０８／Ｙｅｓ）、ＷＥＢサーバ２は、広告コンテンツをユーザ端末１に送信し、広告表示画面５３を表示させる（ステップＳ３０９）。
【０１０５】
また、乱数発生装置３は、ＷＥＢサーバ２を介して抽選起動要求を受信したか否かを判断する（ステップＳ３１０）。抽選起動要求が受信されていないと判断された場合（ステップＳ３１０／Ｎｏ）、ステップＳ３１０の工程が繰り返される。
【０１０６】
乱数発生装置３がユーザ端末１から抽選起動要求を受信したと判断した場合（ステップＳ３１０／Ｙｅｓ）、乱数発生装置３は、乱数を生成する。乱数発生装置３は、生成された乱数情報に、広告主識別情報を付加する。広告主識別情報が付加された乱数情報は、ランク決定装置４に送信される（ステップＳ３１１）。
【０１０７】
ランク決定装置４は、広告主識別情報が付加された乱数情報を受信する。なお、ランク決定装置４に格納されている乱数−ランク対応データは、広告主別に用意されている。ランク決定装置４は、受信した広告主識別情報に基づいて、ユーザ端末１により選択された広告主に係る乱数−ランク対応データを抽出する。ランク決定装置４は、受信した乱数情報と、抽出した乱数−ランク対応データと、に基づいてランクを決定する（ステップＳ３１２）。ランク決定装置４は、決定したランク情報に、広告主識別情報を付加する。広告主識別情報が付加されたランク情報は、ＷＥＢサーバ２に送信される。
【０１０８】
ＷＥＢサーバ２は、広告主識別情報が付加されたランク情報を受信する。なお、ＷＥＢサーバ２に格納されているランク−コンテンツ対応データは、広告主別に用意されている。ＷＥＢサーバ２は、受信した広告主識別情報に基づいて、ユーザ端末１により選択された広告主に係るランク−コンテンツ対応データを抽出する。ＷＥＢサーバ２は、受信したランク情報と、抽出したランク−コンテンツ対応データと、に基づいて、格納している複数種類の景品コンテンツからユーザ端末１に送信する景品コンテンツを選択する（ステップＳ３１３）。
【０１０９】
ＷＥＢサーバ２は、ユーザ端末１に広告コンテンツを送信してから所定時間経過したか否かを判断する（ステップＳ３１４）。所定時間経過していないと判断された場合（ステップＳ３１４／Ｎｏ）、ステップＳ３１４の工程が繰り返される。
【０１１０】
ユーザ端末１に広告コンテンツが送信されてから所定時間経過したと判断された場合（ステップＳ３１４／Ｙｅｓ）、ＷＥＢサーバ２は、選択した景品コンテンツをユーザ端末１に送信し、景品抽選結果画面５４を表示させる（ステップＳ３１５）。
【０１１１】
景品抽選結果画面５４表示後、ユーザ端末１は、景品抽選結果画面５４に表示されている景品の取得を希望した場合、景品取得要求をＷＥＢサーバ２に送信する。なお、上記の景品取得要求には、ユーザ自身（ユーザ端末）の個人データが含まれている。
【０１１２】
ＷＥＢサーバ２は、ユーザ端末１から、景品取得要求を受信したか否かを判断する（ステップＳ３１６）。景品取得要求が受信されていないと判断された場合（ステップＳ３１６／Ｎｏ）、ステップＳ３１６の工程が繰り返される。
【０１１３】
ユーザ端末１からの景品取得要求が受信されたと判断された場合（ステップＳ３１６／Ｙｅｓ）、ＷＥＢサーバ２は、受信した景品取得要求に含まれるユーザの個人データを登録し、ユーザ端末１により取得要求された景品の受け渡しを所定の方法により行う（ステップＳ３１７）。景品受け渡し終了後、バナー広告提供システムは、動作を終了する。
【０１１４】
本実施形態では、景品コンテンツをランダムに決定し、ユーザ端末１に送信することにより、ユーザは、取得を希望する景品に係る景品コンテンツが送信されるまで抽選起動要求を行うため、ユーザ端末は、抽選起動ボタンを何度もクリックすることになる。情報コンテンツがユーザにより閲覧された目安として、抽選起動ボタンのクリック数を計測してもよく、抽選起動ボタンのクリック数を増加させることにより、広告主は、情報コンテンツを何度もユーザに閲覧させることが可能となり、情報コンテンツによる宣伝効果を高めることが可能となる。
【０１１５】
また、ユーザ端末１には、景品抽選結果画面５４が表示される前に必ず広告表示画面５３が所定時間表示される。従って、ユーザは、抽選結果を期待してユーザ端末１に表示される広告表示画面５３を閲覧することとなり、広告表示画面５３に表示される広告情報の宣伝効果を高めることが可能となる。
【０１１６】
なお、上記の第２の実施形態における広告コンテンツは、広告主により複数種類提供され、ＷＥＢサーバ２に格納されてもよい。上記の場合、ＷＥＢサーバ２は、ユーザ端末１から抽選起動要求を受信した時期、あるいはユーザ端末１を用いるユーザの個人データ等に基づいて、格納されている複数種類の広告コンテンツから１つ以上の広告コンテンツを選択し、ユーザ端末１に送信してもよい。
【０１１７】
また、広告コンテンツがＷＥＢサーバ２に複数種類格納されている場合、ユーザ端末１に送信される広告コンテンツは、情報コンテンツおよび景品コンテンツと同様に、ＷＥＢサーバ２、乱数発生装置３、およびランク決定装置４により無作為に選択されてもよい。
【０１１８】
なお、上記の第１および第２の実施形態における広告バナーには、広告主名が表示されていたが、一般的なバナー広告と同様に、広告情報を含むようにしてもよい。また、広告バナーは、必ずしも静止画像である必要はなく、動画や、音声情報を含んだものであってもよい。
【０１１９】
また、上記の第１および第２の実施形態では、情報コンテンツ、広告コンテンツ、および景品コンテンツは、ＷＥＢサーバ２に格納されていたが、所定のネットワークを介してＷＥＢサーバ２と接続されている所定のデータベースに格納されるようにしてもよい。例えば、情報コンテンツ、広告コンテンツ、および景品コンテンツは、インターネット５を介して接続され、広告主が管理するサーバに格納されるようにしてもよい。
【０１２０】
また、ユーザ端末１は、各種要求をＷＥＢサーバ２および乱数発生装置３に送信するとともに、ＷＥＢサーバ２から送信される各種ＷＥＢページおよび各種コンテンツを受信し、自身が有する画面上に出力する処理を行う。ＷＥＢサーバ２は、ユーザ端末１からの各種要求を受信するとともに、各種ＷＥＢページおよび各種コンテンツをユーザ端末１に送信し、出力させる処理を行う。乱数発生装置３は、ユーザ端末１からの抽選起動要求を受信し、乱数を生成する処理を行う。ランク決定装置４は、乱数発生装置３により生成された乱数情報と乱数−ランク対応データとに基づいてランクを決定する処理を行う。また、ＷＥＢサーバ２は、ランク決定装置４により生成されたランク情報とランク−コンテンツ対応データとに基づいてコンテンツを選択する処理を行う。上記の処理は、携帯端末装置が有するコンピュータプログラムにより実行されるが、上記のプログラムは、光ディスクあるいは磁気ディスク等の記録媒体に記録され、上記の記録媒体からロードされるようにしてもよい。
【０１２１】
なお、上記の実施形態は本発明の好適な実施の一例であり、本発明の実施形態は、これに限定されるものではなく、本発明の要旨を逸脱しない範囲において種々変形して実施することが可能となる。
【０１２２】
【発明の効果】
以上説明したように、本発明によれば、ユーザ端末からの広告を含む情報の取得要求をＷＥＢサーバが受信した場合、ＷＥＢサーバは、自身が格納している複数種類の情報から無作為に１つを選択し、ユーザ端末に送信することによって、ユーザ端末は、ユーザが希望する情報を取得するまで何度も情報の取得要求を行い、広告を含む情報の宣伝効果を高めることが可能となる。
【０１２３】
また、本発明によれば、ユーザ端末が所定の広告主から提供される情報の取得を希望し、上記の提供情報の取得要求をＷＥＢサーバに送信した場合、ＷＥＢサーバは、自身が格納する複数種類の提供情報のうち無作為に選択した１つをユーザ端末に送信する前に、上記の広告主に係る広告情報をユーザ端末に所定時間表示させることによって、ユーザは、所定時間経過後に表示される提供情報に期待しながら現在表示されている広告情報を閲覧することとなり、広告情報の宣伝効果を高めることが可能となる。
【図面の簡単な説明】
【図１】本発明の第１の実施形態におけるバナー広告提供システムの構成を示す図である。
【図２】本発明の第１の実施形態におけるバナー広告提供システムの動作の流れを示すフローチャートである。
【図３】本発明の第２の実施形態におけるバナー広告提供システムの動作の流れを示すフローチャートである。
【図４】本発明の第１の実施形態におけるバナー広告提供システムの懸賞ＷＥＢページの画面表示の遷移図である。
【図５】本発明の第２の実施形態におけるバナー広告提供システムの懸賞ＷＥＢページの画面表示の遷移図である。
【図６】本発明の第１の実施形態におけるバナー広告提供システムのカテゴリ選択画面の画面構成を示す図である。
【図７】本発明の第１の実施形態におけるバナー広告提供システムのバナー広告選択画面の画面構成を示す図である。
【図８】本発明の第１の実施形態におけるバナー広告提供システムのコンテンツ一覧表示画面の画面構成を示す図である。
【図９】本発明の第１の実施形態におけるバナー広告提供システムのコンテンツ抽選結果画面の画面構成を示す図である。
【図１０】本発明の第１の実施形態におけるバナー広告提供システムのダウンロード画面の画面構成を示す図である。
【図１１】本発明の第２の実施形態におけるバナー広告提供システムのバナー広告選択画面の画面構成を示す図である。
【図１２】本発明の第２の実施形態におけるバナー広告提供システムの景品一覧表示画面の画面構成を示す図である。
【図１３】本発明の第２の実施形態におけるバナー広告提供システムの広告表示画面の画面構成を示す図である。
【図１４】本発明の第２の実施形態におけるバナー広告提供システムの景品抽選結果画面の画面構成を示す図である。
【図１５】（ａ）は、本発明の第１の実施形態における乱数−ランクの対応表であり、（ｂ）は、本発明の第１の実施形態におけるランク−コンテンツの対応表であり、（ｃ）は、本発明の第１の実施形態における乱数−ランク−コンテンツの対応表である。
【符号の説明】
１  ユーザ端末
２  ＷＥＢサーバ
３  乱数発生装置
４  ランク決定装置
５  インターネット
４０、５０  カテゴリ選択画面
４１、５１  バナー広告選択画面
４２  コンテンツ一覧表示画面
４３  コンテンツ抽選結果画面
４４  ダウンロード画面
５２  景品一覧表示画面
５３  広告表示画面
５４  景品抽選結果画面
６１〜６８  カテゴリアイコン
６９  カテゴリ選択メッセージ
７１、１１１  選択カテゴリ表示
７２、１１２  バナー広告選択メッセージ
７３〜７８、１１３〜１１６  バナー広告
８１、９１、１０１、１２１、１３１、１４１  選択広告主表示
８２、１２２  抽選起動メッセージ
８３、１２３  抽選起動ボタン
８４  コンテンツ一覧
９２、１４２  抽選結果メッセージ
９３、１０３、１３２  広告メッセージ
９４  ダウンロード開始ボタン
９５、１０５、１４５  戻るボタン
１０２  ダウンロードメッセージ
１０４  ダウンロード中止ボタン
１２４  景品一覧
１３３  抽選中メッセージ
１４３  ユーザデータ登録欄
１４４  送信ボタン
【図１】
0004382305.tif 000002
【図２】
0004382305.tif 000003
【図３】
0004382305.tif 000004
【図４】
0004382305.tif 000005
【図５】
0004382305.tif 000006
【図６】
0004382305.tif 000007
【図７】
0004382305.tif 000008
【図８】
0004382305.tif 000009
【図９】
0004382305.tif 000010
【図１０】
0004382305.tif 000011
【図１１】
0004382305.tif 000012
【図１２】
0004382305.tif 000013
【図１３】
0004382305.tif 000014
【図１４】
0004382305.tif 000015
【図１５】
0004382305.tif 000016